(57)【要約】      （修正有）【課題】融雪を促進しながら、肥料を適当に作用させ、ムギの生育を促進して収量を増やすための施肥方法の提供。【解決手段】圃場に、融雪剤とウレタン樹脂で被覆された、被覆尿素肥料及び被覆リン酸肥料を含む被覆粒状肥料であり、前記融雪剤と前記被覆粒状肥料との比が、重量比で５：１〜１：２の範囲であり、同時に施用することを特徴とするムギの栽培における施肥方法。【選択図】なし【特許請求の範囲】
【請求項１】
圃場に、融雪剤と被覆粒状肥料とを同時に施用することを特徴とするムギの栽培における施肥方法。
【請求項２】
前記融雪剤と前記被覆粒状肥料との比が、重量比で５：１〜１：２の範囲である請求項１に記載の施肥方法。
【請求項３】
前記被覆粒状肥料が、ウレタン樹脂で被覆されてなる被覆粒状肥料である請求項１または２に記載の施肥方法。
【請求項４】
前記被覆粒状肥料が、被覆尿素肥料及び被覆リン酸肥料を含む被覆粒状肥料である請求項１〜３のいずれか１項に記載の施肥方法。
【発明の詳細な説明】
【技術分野】
【０００１】
本発明は、ムギの栽培における施肥方法に関する。
【背景技術】
【０００２】
積雪寒冷地におけるコムギ等のムギの栽培においては、融雪の遅れはムギの生育に影響を与え、収量低下の原因になることから、融雪促進は欠かせない作業である。このため、春先に融雪剤を散布し、融雪後、圃場に入れるようになってから施肥が行われている。しかしながら、融雪直後の圃場に入って行う施肥作業は非常に困難なものであり、また、融雪により生じる水に肥料が溶解し、期待する肥効が発揮されないという問題があった。
【０００３】
このような問題を解決すべく、融雪剤で粒状肥料を被覆してなる融雪肥料が提案されている（特許文献１）。特許文献１には、前記融雪肥料が、太陽熱を効率的に吸収して融雪を促進し、融雪後は土壌に肥料を供給するため、融雪と施肥とを一度に行うことができると共に、作物の高収量が期待できることが開示されている。
【先行技術文献】
【特許文献】
【０００４】
【特許文献１】特開昭５９−０１８１８６号公報（１９８４年１月３０日公開）
【発明の概要】
【発明が解決しようとする課題】
【０００５】
しかしながら、特許文献１には、前記融雪肥料を用いて実際に高収量の作物を得たというデータは示されていない。そのため、特許文献１の開示の技術が、実際に前記の課題を解決することができるか否かは不明であると考えられる。つまり、融雪を促進しながら、肥料を適当に作用させて、ムギの生育を促進して収量を増やすためには、施肥方法のさらなる開発の必要性が存在していた。
【０００６】
本発明は、ムギの栽培における、より簡便で効率的な施肥方法を提供することを課題とする。
【課題を解決するための手段】
【０００７】
前記の課題を解決するために、本発明者は、融雪直後の圃場に入って施肥作業を行うという極めて困難な工程を回避しつつ、ムギの収量を増加させることができる方法について鋭意検討した。その結果、融雪剤と被覆肥料とを同時に施肥することによって前記課題を解決することができることを見出し、本発明を完成するに至った。
【０００８】
すなわち、本発明は以下の発明を包含する。
【０００９】
［１］圃場に、融雪剤と被覆粒状肥料とを同時に施用することを特徴とするムギの栽培における施肥方法。
【００１０】
［２］前記融雪剤と前記被覆粒状肥料との比が、重量比で５：１〜１：２の範囲である［１］に記載の施肥方法。
【００１１】
［３］前記被覆粒状肥料が、ウレタン樹脂で被覆されてなる被覆粒状肥料である［１］または［２］に記載の施肥方法。
【００１２】
［４］前記被覆粒状肥料が、被覆尿素肥料及び被覆リン酸肥料を含む被覆粒状肥料である［１］〜［３］のいずれか一つに記載の施肥方法。
【発明の効果】
【００１３】
本発明により、ムギの栽培において、収量を増加させることができる。また、本発明により、融雪直後の圃場に入って施肥作業を行うという極めて困難な工程を回避することができる。
【発明を実施するための形態】
【００１４】
本発明のムギの栽培における施肥方法（以下、本施肥方法と記す）は、融雪剤と被覆粒状肥料とを同時に施用することを特徴とする。本発明においては、コムギ及びオオムギを総称してムギという。
【００１５】
融雪剤としては、農業用の融雪剤として使用されているものを使用することができる。かかる融雪剤としては、例えば、カーボンブラック、フライアッシュ、炭酸カルシウム、燃焼灰、くん炭、木炭、乾燥黒ボク土、ベンガラ、黒色酸化鉄、腐植等の成分を含む融雪剤が挙げられる。
【００１６】
本発明における融雪剤として、例えば、以下のものが挙げられるがこれらに限定されない：カーボンブラックを含む融雪剤として、融雪タンカル（カーボンブラック含有量：０．５重量％）（ホクレン）、ＳＲブラック（呉羽）等；炭酸カルシウムを含む融雪剤として、くみあいタンカル（炭酸カルシウム含有量：５３重量％）（北海道炭酸カルシウム工業組合）、防散タンカル（炭酸カルシウム含有量：５０重量％）（小野工業株式会社）等；石炭燃焼灰(フライアッシュ)を含む融雪剤として、くみあいアッシュ（太平物産株式会社）、黒べえ（株式会社ユウキン）、くみあいブラックパワーＮ（ホクレン）等；くん炭を含む融雪剤として、自然思考もみがらくんたん（ＦＯＲＥＸ）、くん炭（コメリ）等；木炭を含む融雪剤として、雪どけ炭（木炭）（シーテック）、融雪灰、万能炭一番（コメリ）等；乾燥黒ボク土を含む融雪剤として、黒土（ＦＯＲＥＸ）等。
【００１７】
本発明において、被覆粒状肥料とは、肥料成分を含有する粒状物の表面が樹脂等の被覆資材で被覆されている肥料であり、肥料成分の溶出が制御されている肥料を意味する。肥料成分の溶出は、水分と接触するまでは溶出せず、水分と接触した後、一定期間経過後に溶出するように制御されていることが好ましい。
【００１８】
当該肥料成分は、ムギの栽培において、越冬後（通常３〜４月）に追肥される成分であり、例えば、尿素、硫酸アンモニウム、リン酸アンモニウム、硝酸アンモニウム、硝酸アンモニウム石灰及び腐植酸アンモニウム等の窒素成分；過リン酸石灰、重過リン酸石灰、苦土過リン酸、リン酸アンモニウム、苦土リン酸、硫リン安、リン硝安カリウム及び塩リン酸等のリン酸成分；並びに塩化カリウム、硫酸カリウム、硫酸カリ苦土、重炭酸カリウム、リン酸カリウム及び硝酸カリウム等のカリウム成分が挙げられる。
【００１９】
肥料中における、窒素成分、リン酸成分およびカリウム成分の割合は、当業者により、適宜設定され得る。窒素成分、リン酸成分およびカリウム成分に加えて、ムギの成長にとって有用な任意の他の成分も使用され得る。
【００２０】
肥料成分を含有する粒状物としては、例えば粒状尿素のように肥料成分そのものが粒状化されたもの、並びに肥料成分及び固体担体の混合物が粒状化されたものが挙げられる。粒状物の形状は、球状が好ましいが、円柱状等の他の形状であってもよい。粒状物の大きさは、特に限定されることはないが、球状の場合、通常、直径が０．１ｍｍ〜１５ｍｍであり、円柱状の場合、通常、直径が１．０ｍｍ〜１０．０ｍｍ、高さが５．０ｍｍ〜１５．０ｍｍであり得る。
【００２１】
肥料成分同士、および肥料成分と固体担体との混合は、例えば、スクリューミキサー、パンミキサー、パグミキサー等の紛体混合機により行われ得る。また、粒状化は、例えば回転ドラム式造粒装置（ドラムコータ）や回転パン式造粒装置（パンコータ）等を用いた公知の造粒操作により行うことができる。
【００２２】
被覆資材としては、熱可塑性樹脂、熱硬化性樹脂及び無機系資材からなる群より選ばれる１以上の資材が一般に使用されている。熱可塑性樹脂としては、例えば、ポリエチレン及びポリプロピレン等のポリオレフィン系樹脂から選ばれる樹脂が挙げられ、熱硬化性樹脂としては、例えば、アルキッド樹脂及び／又はウレタン樹脂が挙げられる。無機系資材としては、例えば、硫黄及び／又はワックス、並びにこれらの混合物が挙げられる。
【００２３】
本施肥方法においては、ウレタン樹脂で被覆されてなる被覆粒状肥料の使用が好ましい。被覆資材の選択は、肥料成分の溶出の制御目的に応じて適宜行われる。例えば、温度に対する反応性を考慮して、水分との接触後の早い段階で肥料成分を溶出させたいときには、親水度の高い被覆資材が用いられ、肥料成分の溶出を遅らせたいときには、疎水度の高い被覆資材が用いられ得る。
【００２４】
粒状肥料の被覆方法としては、公知の被覆方法であれば別段限定されないが、例えば、回転ドラム式造粒装置（ドラムコータ）等を用いて、その内部で粒状肥料を回転させながら被覆資材を供給し、コーティングを行うことが挙げられる。
【００２５】
また、被覆尿素肥料及び被覆リン酸肥料を含む被覆粒状肥料の使用が好ましい。被覆尿素肥料としては、１５℃の水中に被覆尿素肥料を静置した条件において、窒素８０％（被覆尿素肥料に含まれる全窒素に対する重量％）が溶出するのに要する期間が、３０〜５０日程度である被覆尿素肥料、及び／または２５℃の水中に被覆尿素肥料を静置した条件において、窒素８０％（被覆尿素肥料に含まれる全窒素に対する重量％）が溶出するのに要する期間が、２０〜１００日程度である被覆尿素肥料が好ましい。
【００２６】
被覆リン酸肥料としては、２５℃の水中に被覆リン酸肥料を静置した条件において、リン酸８０％（被覆リン酸肥料に含まれる全リン酸に対する重量％）が溶出するのに要する期間が、２０〜１００日程度である被覆リン酸肥料が好ましい。
【００２７】
本発明において、窒素の量はＮ（窒素原子）換算の重量であり、リン酸の量はＰ２Ｏ５（五酸化二リン）換算の重量である。
【００２８】
被覆粒状肥料の施用では、特定の肥料成分や被覆資材を有する被覆粒状肥料が単独で施用されてもよいし、異なる肥料成分や被覆資材を有する複数の被覆粒状肥料が混合して施用されてもよい。
【００２９】
本発明における被覆粒状肥料は、非被覆肥料を含んでいてもよい。非被覆肥料としては、例えば、尿素、硫酸アンモニウム、リン酸アンモニウム、硝酸アンモニウム、硝酸アンモニウム石灰、腐植酸アンモニウム、過リン酸石灰、重過リン酸石灰、苦土過リン酸、苦土リン酸、硫リン安、リン硝安カリウム、塩リン酸、塩化カリウム、硫酸カリウム、硫酸カリ苦土、重炭酸カリウム、リン酸カリウム、硝酸カリウム等が挙げられるがこれらに限定されない。なお、「非被覆肥料」とは、肥料の表面が被覆資材で被覆されていない肥料のことをいう。
【００３０】
本施肥方法をコムギの栽培において適用する場合について、説明する。コムギの作型は、秋（９月）に播種して幼植物で越冬し、春の長日条件で出穂する秋播きと、根雪直前の初冬（１０月〜１１月）に播種する初冬まき、春になってから播種し、夏までに出穂結実する春播に区別される。秋播コムギと初冬播コムギの場合、本施肥方法により追肥を施用することができる。本施肥方法は、１〜４月の間で、日平均気温が−３℃以上になり、２０ｃｍ以上の積雪の見込みがなくなる時期に実施する。
【００３１】
本施肥方法において、「融雪剤と被覆粒状肥料とを同時に施用する」とは、融雪剤による融雪が始まるまでに被覆粒状肥料を施用することを意味する。ここで、融雪剤による融雪は、被覆粒状肥料を施用する直近に施用された融雪剤による融雪を意味する。
【００３２】
したがって、融雪剤が複数回施用される場合には、先に施用した融雪剤により融雪が始まっていたとしても、その後に、被覆粒状肥料を施用する直近に施用された融雪剤による融雪が始まっていなければ、融雪剤と被覆粒状肥料とを同時に施用するとの概念に包含される。このような場合の一態様として、先に融雪剤のみを施用し、その後、融雪剤と被覆粒状肥料との混合物を施用することが挙げられる。通常は、融雪剤の施用前１０日から施用後１０日までの間に被覆粒状肥料を施用し、この態様はまた、融雪剤と被覆粒状肥料とを同時に施用するとの概念に包含される。また、融雪剤と被覆粒状肥料とを混合してから施用することもできる。混合は、例えば、スクリューミキサー、パンミキサー、パグミキサー等の紛体混合機により行われる。本施肥方法を実施した後で２０ｃｍ以上積雪した場合は、融雪剤を追加して施用することが好ましい。
【００３３】
融雪剤の施用は、通常の方法により行われる。スノーモービル、クローラトラクター、ブロードキャスター、タブラー及び背負動力散粒機等を用いる機械散布や、手まきでもよい。
【００３４】
また、融雪剤の施用量は、圃場１０アールあたり、通常２０〜１５０ｋｇ程度であり、好ましくは４０〜１００ｋｇ程度である。融雪剤の効果が認められない場合は、追加して施用してもよい。融雪剤を追加で施用する場合、融雪剤の追加と同時に被覆粒状肥料を追加で施用してもよい。
【００３５】
被覆粒状肥料の施用も、通常の方法により行われる。融雪剤と同様、スノーモービル、クローラトラクター、ブロードキャスター、タブラー及び背負動力散粒機等を用いる機械散布や、手まきでもよい。
【００３６】
また、被覆粒状肥料の施用量は、圃場１０アールあたり、通常２０〜８０ｋｇ程度である。本施肥方法においては、融雪剤と被覆粒状肥料との比が、例えば、重量比で７．５：１〜１：４の範囲、好ましくは、重量比で５：１〜１：２の範囲となるように施用する。被覆粒状肥料が非被覆肥料を含有する場合、被覆粒状肥料における非被覆肥料の含有量は、通常、０〜５０重量％、好ましくは、０〜２５重量％である。なお、前記「被覆粒状肥料の施用量」および「融雪剤と被覆粒状肥料との比」は、非被覆肥料を含めない状態での被覆粒状肥料の重量に基づいた数値である。
【実施例】
【００３７】
以下、本発明の施肥方法についてさらに具体的に説明するが、本発明はかかる実施例のみに限定されるものではない。
【００３８】
〔試験例１〕
試験は北海道由仁町の圃場で行った。９月１８日に基肥として高度化成燐加安２８４号(住友化学株式会社)（Ｎ−Ｐ−Ｋ＝１２−１８−１４（Ｎ、ＰおよびＫは、それぞれＮ、Ｐ２Ｏ５およびＫ２Ｏを意味し、それぞれの成分の混合比率を重量％で示している。以下同じ））を１０アールあたり３０ｋｇ全面施用した。９月２０日にコムギ（品種：ゆめちから）を播種した。３月１０日にくみあい防散タンカル（５０．０重量％カーボンブラック入り防散（粒状）炭酸カルシウム（ホクレン））を１０アールあたり８０ｋｇ施用した。融雪剤の施用は手まきで行った。そして３月１５日に肥料１（表５参照）を１０アールあたり４０ｋｇ施用した。被覆資材としては、ポリウレタン樹脂を用いた。被覆粒状肥料の施用も手まきで行った。これを試験区１とした。
【００３９】
一方、コムギの播種までは試験区１と同様の操作を行い、消雪後の４月３日に硫安（Ｎ−Ｐ−Ｋ＝２１−０−０）を１０アールあたり６０ｋｇ、５月１２日に硫安（Ｎ−Ｐ−Ｋ＝２１−０−０）を１０アールあたり２０ｋｇそれぞれ施用した。これを比較試験区１とした。
【００４０】
その後栽培を継続し、７月１４日にコムギを収穫し、試験区１及び比較試験区１における収量、穂数及び千粒重について調査した。その結果を表１に示す。
【００４１】
【表１】
2016222493.tif 000002
【００４２】
〔試験例２〕
試験は北海道岩見沢市の圃場で行った。９月１６日に基肥ＢＢ肥料８５３（ホクレン）（Ｎ−Ｐ−Ｋ＝８−５−３）を１０アールあたり５０ｋｇ全面施用した。９月２７日にコムギ（品種：ゆめちから）を播種した。３月２９日にくみあいアッシュ（太平物産株式会社）と肥料１（表５参照）とを混合して施用した。施用量は、くみあいアッシュが１０アールあたり８０ｋｇ、肥料１が１０アールあたり３０ｋｇとした。被覆資材としては、ポリウレタン樹脂を用いた。施用はスノーモービルを用いて行った。これを試験区２とした。
【００４３】
一方、コムギの播種までは試験区２と同様の操作を行い、３月２９日にくみあいアッシュを１０アールあたり８０ｋｇ施用した。そして、ムギの起生期にあたる４月１４日にＤＡＰ（Ｎ−Ｐ−Ｋ＝１８−４６−０）を１０アールあたり３４ｋｇ、５月１２日にＤＡＰ（Ｎ−Ｐ−Ｋ＝１８−４６−０）を１０アールあたり４０ｋｇそれぞれ施用した。これを比較試験区２とした。
【００４４】
その後栽培を継続し、７月３０日にコムギを収穫し、試験区２及び比較試験区２における収量、穂数及び千粒重について調査した。その結果を表２に示す。
【００４５】
【表２】
2016222493.tif 000003
【００４６】
〔試験例３〕
試験は北海道江別市の圃場で行った。９月２０日に基肥としていずみ化成１５号（Ｎ−Ｐ−Ｋ＝１５−１５−１５）（住友化学株式会社）を１０アールあたり３０ｋｇ全面施用した。９月２５日にコムギ（品種：ゆめちから）を播種した。３月２０日にくみあいブラックパワーＮ（ホクレン）と肥料１（表５参照）とを混合して施用した。施用量は、くみあいブラックパワーＮが１０アールあたり１００ｋｇ、肥料１が１０アールあたり５０ｋｇとした。被覆資材としては、ポリウレタン樹脂を用いた。施用は背負動力散粒機を用いて行った。これを試験区３とした。
【００４７】
また、試験区３とは別の試験区を設け、９月１７日に基肥ＢＢ肥料８５３（Ｎ−Ｐ−Ｋ＝８−５−３）を１０アールあたり５０ｋｇ全面施用した。９月２０日にコムギ（品種：ゆめちから）を播種した。３月１０日にくみあいブラックパワーＮを１０アールあたり６０ｋｇ施用した。３月２５日にくみあいブラックパワーＮと肥料１（Ｎ−Ｐ−Ｋ＝４０−３−０）とを混合して施用した。被覆資材としては、ポリウレタン樹脂を用いた。施用量は、くみあいブラックパワーＮが１０アールあたり８０ｋｇ、肥料１が１０アールあたり４０ｋｇとした。施用は背負動力散粒機を用いて行った。これを試験区４とした。
【００４８】
その後栽培を継続し、コムギを収穫した。試験区３及び試験区４における収量、穂数及び千粒重について調査した結果、いずれも良好であることが認められた。
【００４９】
〔試験例４〕
秋に、圃場に基肥を全面施用した後、コムギ（品種：ゆめちから）を播種する。次の年の１〜４月の間で、日平均気温が−３℃以上になり、２０ｃｍ以上の積雪の見込みがなくなったら、融雪剤及び被覆粒状肥料をそれぞれ施用する。施用する融雪剤（表３）及びその量（表４）、施用する被覆粒状肥料（表５）及びその量（表６）、並びに施用時期（表７）は下記の表に示す通りである。
【００５０】
【表３】
2016222493.tif 000004
【００５１】
１）カーボンブラック含有量  ０．５重量％、アルカリ含有量  ５０重量％
２）炭酸カルシウム含有量  ５３重量％
【００５２】
【表４】
2016222493.tif 000005
【００５３】
【表５】
2016222493.tif 000006
【００５４】
上記表５の肥料の種類は、詳細には下記の通りである。
【００５５】
被覆尿素３０日／１５℃タイプは、Ｎ−Ｐ−Ｋ＝４２−０−０で、１５℃水中８０％溶出期間が３０日の低温溶出タイプである。
【００５６】
被覆尿素５０日／１５℃タイプは、Ｎ−Ｐ−Ｋ＝４２−０−０で、１５℃水中８０％溶出期間が５０日の低温溶出タイプである。
【００５７】
被覆尿素２０日タイプは、Ｎ−Ｐ−Ｋ＝４３−０−０で、２５℃水中８０％溶出期間が２０日の低温溶出タイプである。
【００５８】
被覆尿素４０日タイプは、Ｎ−Ｐ−Ｋ＝４３−０−０で、２５℃水中８０％溶出期間が４０日の低温溶出タイプである。
【００５９】
被覆尿素６０日タイプは、Ｎ−Ｐ−Ｋ＝４３−０−０で、２５℃水中８０％溶出期間が６０日の低温溶出タイプである。
【００６０】
被覆ＤＡＰ６０日タイプは、Ｎ−Ｐ−Ｋ＝１６−３６−０で、２５℃水中８０％溶出期間が６０日の低温溶出タイプである。
【００６１】
被覆化成２０日タイプは、Ｎ−Ｐ−Ｋ＝１５−１３−１５で、２５℃水中８０％溶出期間が２０日の低温溶出タイプである。
【００６２】
被覆化成８０日タイプは、Ｎ−Ｐ−Ｋ＝１４−１２−１４で、２５℃水中８０％溶出期間が８０日の低温溶出タイプである。
【００６３】
リン酸アンモニウム（ＤＡＰ）としては、燐安１７−４５（Ｎ−Ｐ−Ｋ＝１７−４５−０、ホクレン）が使用される。
【００６４】
【表６】
2016222493.tif 000007
【００６５】
【表７】
2016222493.tif 000008
【００６６】
上記の表７における融雪剤／肥料の施用時期が同時とは、融雪剤及び被覆粒状肥料を同日に施用することを意味し、１０日前とは、被覆粒状肥料を施用する１０日前に融雪剤を施用すること、１０日後とは、被覆粒状肥料施用した１０日後に融雪剤を施用することをそれぞれ意味する。これらの、５つのパラメーターをそれぞれ組み合わせて、全部で５６３８通りの組み合わせについて試験区を構成し、試験する。
【００６７】
【表８】
2016222493.tif 000009
【００６８】
2016222493.tif 000010
【００６９】
2016222493.tif 000011
【００７０】
2016222493.tif 000012
【００７１】
2016222493.tif 000013
【００７２】
2016222493.tif 000014
【００７３】
2016222493.tif 000015
【００７４】
2016222493.tif 000016
【００７５】
2016222493.tif 000017
【００７６】
2016222493.tif 000018
【００７７】
2016222493.tif 000019
【００７８】
2016222493.tif 000020
【００７９】
2016222493.tif 000021
【００８０】
2016222493.tif 000022
【００８１】
2016222493.tif 000023
【００８２】
2016222493.tif 000024
【００８３】
2016222493.tif 000025
【００８４】
2016222493.tif 000026
【００８５】
2016222493.tif 000027
【００８６】
2016222493.tif 000028
【００８７】
2016222493.tif 000029
【００８８】
2016222493.tif 000030
【００８９】
2016222493.tif 000031
【００９０】
2016222493.tif 000032
【００９１】
2016222493.tif 000033
【００９２】
2016222493.tif 000034
【００９３】
2016222493.tif 000035
【００９４】
2016222493.tif 000036
【００９５】
2016222493.tif 000037
【００９６】
2016222493.tif 000038
【００９７】
2016222493.tif 000039
【００９８】
2016222493.tif 000040
【００９９】
2016222493.tif 000041
【０１００】
2016222493.tif 000042
【０１０１】
2016222493.tif 000043
【０１０２】
2016222493.tif 000044
【０１０３】
2016222493.tif 000045
【０１０４】
2016222493.tif 000046
【０１０５】
2016222493.tif 000047
【０１０６】
2016222493.tif 000048
【０１０７】
2016222493.tif 000049
【０１０８】
2016222493.tif 000050
【０１０９】
2016222493.tif 000051
【０１１０】
2016222493.tif 000052
【０１１１】
2016222493.tif 000053
【０１１２】
2016222493.tif 000054
【０１１３】
2016222493.tif 000055
【０１１４】
2016222493.tif 000056
【０１１５】
2016222493.tif 000057
【０１１６】
2016222493.tif 000058
【０１１７】
2016222493.tif 000059
【０１１８】
2016222493.tif 000060
【０１１９】
2016222493.tif 000061
【０１２０】
2016222493.tif 000062
【０１２１】
2016222493.tif 000063
【０１２２】
2016222493.tif 000064
【０１２３】
2016222493.tif 000065
【０１２４】
2016222493.tif 000066
【０１２５】
2016222493.tif 000067
【０１２６】
2016222493.tif 000068
【０１２７】
2016222493.tif 000069
【０１２８】
2016222493.tif 000070
【０１２９】
2016222493.tif 000071
【０１３０】
2016222493.tif 000072
【０１３１】
2016222493.tif 000073
【０１３２】
2016222493.tif 000074
【０１３３】
2016222493.tif 000075
【０１３４】
2016222493.tif 000076
【０１３５】
2016222493.tif 000077
【０１３６】
2016222493.tif 000078
【０１３７】
2016222493.tif 000079
【０１３８】
2016222493.tif 000080
【０１３９】
2016222493.tif 000081
【０１４０】
2016222493.tif 000082
【０１４１】
2016222493.tif 000083
【０１４２】
2016222493.tif 000084
【０１４３】
2016222493.tif 000085
【０１４４】
2016222493.tif 000086
【０１４５】
2016222493.tif 000087
【０１４６】
2016222493.tif 000088
【０１４７】
2016222493.tif 000089
【０１４８】
2016222493.tif 000090
【０１４９】
2016222493.tif 000091
【０１５０】
2016222493.tif 000092
【０１５１】
2016222493.tif 000093
【０１５２】
2016222493.tif 000094
【０１５３】
2016222493.tif 000095
【０１５４】
2016222493.tif 000096
【０１５５】
2016222493.tif 000097
【０１５６】
2016222493.tif 000098
【０１５７】
2016222493.tif 000099
【０１５８】
2016222493.tif 000100
【０１５９】
2016222493.tif 000101
【０１６０】
2016222493.tif 000102
【０１６１】
2016222493.tif 000103
【０１６２】
2016222493.tif 000104
【０１６３】
2016222493.tif 000105
【０１６４】
2016222493.tif 000106
【０１６５】
2016222493.tif 000107
【０１６６】
2016222493.tif 000108
【０１６７】
融雪剤及び被覆粒状肥料の施用後栽培を継続し、コムギを収穫する。各試験区における収量、穂数及び千粒重について調査すると、いずれも良好であることが認められる。
【産業上の利用可能性】
【０１６８】
本発明の方法により、融雪直後の圃場に入って施肥作業を行うという極めて困難な工程を回避しつつ、ムギの収量を増加させることができるので、本発明は、積雪寒冷地等におけるムギ栽培において広範に利用可能である。